(57)【要約】【課題】簡単な構成で、上下の基板を微少間隔で電気的に接続可能な端子配置構造と、それを用いたカード型装置を提供する。【解決手段】基板１３，１４を上下に互いに間隔を介して配置し、上側基板１４の裏面側には導電部１６を形成し、下側基板１３には導電部１６に導通接続される端子１１の取り付け用の貫通の穴部１７又は切り欠き部２７を形成する。端子１１はバネ板部１８と該バネ板部１８を支持する支持部１９とを備え、支持部１９は、下側基板１３に固定される固定部３６と、穴部１７又は切り欠き部２７の下端側において下側基板１３の底面側の位置に配置された底板部３７とを有する構成とする。端子１１のバネ板部１８は底板部３７に連接して底板部３７から立ち上がりの形態をもって形成し、穴部１７又は切り欠き部２７の下端側から上側に向けて伸設してその伸設頂上位置で上側基板１４の導電部１６と接触させる。【選択図】図１
2010097717.tif 000002
【特許請求の範囲】
【請求項１】
２枚の基板が間隔を介して上下に配置され、上側基板の裏面側には導電部が形成され、下側基板には前記上側基板の導電部に導通接続される端子の取り付け用の貫通の穴部または切り欠き部が形成されており、該穴部または切り欠き部に取り付ける端子はバネ板部と該バネ板部を支持する支持部とを備え、該支持部は前記下側基板に固定される固定部と、前記穴部または切り欠き部の下端側において前記下側基板の底面側の位置に配置された底板部とを有し、前記端子のバネ板部は前記底板部に連接されて該底板部から立ち上がりの形態をもって形成され、前記穴部または切り欠き部の下端側から上側に向けて伸設されてその伸設頂上位置で前記上側基板の導電部と接触していることを特徴とする端子配置構造。
【請求項２】
端子の支持部の底板部にはバネ板部を挟む両側にそれぞれ、前記底板部に連接してその連接部から折れ曲がって上側に立ち上がり下側基板の穴部または切り欠き部の内壁に沿って伸設された伸設板部が設けられ、それぞれの伸設板部は前記穴部または切り欠き部の上端部において伸設方向を変えて前記穴部または切り欠き部から離れる方向に向けて前記下側基板の表面側に沿って配設されて該下側基板の表面側に固定されていることを特徴とする請求項１記載の端子配置構造。
【請求項３】
端子の支持部の底板部は下側基板の穴部または切り欠き部よりも幅方向と長さ方向の少なくとも一方に張り出し形成されて前記下側基板の裏面側に沿って配設されており、この下側基板の裏面側に配設された部位が該下側基板の裏面側に固定されていることを特徴とする請求項１記載の端子配置構造。
【請求項４】
端子のバネ板部は下側基板の穴部または切り欠き部内において支持部の底板部の一端側に連接形成され、該底板部の一端側または他端側には前記底板部に連接してその連接部から折れ曲がって上側に立ち上がり下側基板の穴部または切り欠き部の内壁に沿って伸設された伸設板部が設けられ、該伸設板部は前記穴部または切り欠き部の上端部において伸設方向を変えて前記穴部または切り欠き部から離れる方向に向けて前記下側基板の表面側に沿って配設されて該下側基板の表面側に固定されていることを特徴とする請求項３記載の端子配置構造。
【請求項５】
底板部は下側基板の穴部または切り欠き部の下側開口をふさぐ態様で設けられていることを特徴とする請求項１乃至請求項４のいずれか一つに記載の端子配置構造。
【請求項６】
カード挿入部に挿入されるカード本体と、該カード本体の挿入後端側に収容されたスライドアンテナ基板とを有し、該スライドアンテナ基板は前記カード本体のカード挿入方向にスライド自在に設けられて前記カード本体への収容状態と前記カード本体からの引き出し状態との間でスライド移動自在と成しており、前記スライドアンテナ基板には一つ以上の平面型アンテナが設けられており、前記カード本体側に設けられている基板と前記スライドアンテナ基板とが間隔を介して上下に配置されて、前記スライドアンテナ基板と前記カード本体の基板のいずれか一方が上側基板と成して他方が下側基板と成しており、請求項１乃至請求項５のいずれか一つに記載の端子配置構造を有して、前記スライドアンテナ基板と前記カード本体の基板とが電気的に接続されていることを特徴とするカード型装置。
【発明の詳細な説明】
【技術分野】
【０００１】
本発明は、互いに間隔を介して上下に配置された基板を電気的に接続するための端子配置構造およびその構造を用いたカード型装置に関するものである。
【背景技術】
【０００２】
図７に示すように、パソコン（パーソナルコンピュータ）４１にＰＣカードを挿入装着して用いることが行われており、このようなＰＣカード等の無線通信用カード端末（カード型装置）において、無線通信用のアンテナをカード本体に収納したり引き出したりすることが可能なカード型装置が提案されている（例えば、特許文献１、参照）。
【０００３】
図８には、特許文献１に記載されているＰＣカードの例が示されており、このＰＣカード３０は、無線用のアンテナを備えたアンテナユニット２２を、カード本体２１に対してスライド移動自在に設けている。なお、図８（ａ）は、アンテナユニット２２をカード本体２１から引き出した状態を示しており、図８（ｂ）は、アンテナユニット２２をカード本体２１内に収納した状態を示している。
【０００４】
提案のカード型装置では、図９（ａ）、（ｂ）に示すように、アンテナユニット２２の基板３２を、カード本体２１の基板２４と電気的に接続するために、板バネ３３を用いた接続構造を適用している。なお、図９（ａ）は、ＰＣカード３０の上側から、カード本体２１とアンテナユニット２２との接続構造を見た図であり、図９（ｂ）は、ＰＣカード３０の下側から、カード本体２１とアンテナユニット２２との接続構造を見た図である。この例では、基板３２に設けた複数の導電性パッド２６に、コネクタ３４を用いて対応する板バネ３３を接続し、その板バネ３３を、基板２４に設けた導電性パッド２５に導通接続するようにしている。
【０００５】
なお、異なる基板同士を電気的に接続する構成としては、例えば平形柔軟ケーブルであるＦＰＣ（Ｆｌｅｘｉｂｌｅ  Ｐｒｉｎｔｅｄ  Ｃｉｒｃｕｉｔ）を用いる構成や、板バネを用いる構成等が提案されている（特許文献２、３、参照。）。
【０００６】
【特許文献１】特開２００１−３３２９１４号公報
【特許文献２】特開２００４−３３５５４７号公報
【特許文献３】特開２００１−３３５５４８号公報
【発明の開示】
【発明が解決しようとする課題】
【０００７】
しかしながら、前記のように、板バネ３３を用いて基板同士を電気的に接続する構成は、板バネ３３の高さ分だけ（図９（ａ）のＨ、参照）、基板同士の間隔を広く形成しなければならない。なお、図１０には、バネ状の端子３１を用いて基板２４，３２を接続する構成例が示されているが、この場合も、同様に、基板２４，３２同士の間隔を広く形成する必要がある。したがって、板バネ３３やバネ状の端子３１を用いる接続構造は、接続された製品の高さの低背化が求められる場合に適応できない。また、特許文献２に記載されているように、ＦＰＣを用いて基板同士を電気的に接続する構成は、部品点数や組み立て工数などが増加するため、製品コストが高くなってしまうといった問題がある。
【０００８】
本発明は上記課題を解決するために成されたものであり、その目的は、互いに間隔を介して上下に配置される基板の間隔を大きくしなくても、容易に、かつ、低コストで、両基板を互いに電気的に接続することができる端子配置構造を提供することと、この端子配置構造を適用することによって、上下の基板同士を微少間隔で容易に電気的に接続できるカード型装置を提供することにある。
【課題を解決するための手段】
【０００９】
上記目的を達成するために、この発明は次に示す構成をもって前記課題を解決するための手段としている。すなわち、本発明の端子配置構造は、２枚の基板が間隔を介して上下に配置され、上側基板の裏面側には導電部が形成され、下側基板には前記上側基板の導電部に導通接続される端子の取り付け用の貫通の穴部または切り欠き部が形成されており、該穴部または切り欠き部に取り付ける端子はバネ板部と該バネ板部を支持する支持部とを備え、該支持部は前記下側基板に固定される固定部と、前記穴部または切り欠き部の下端側において前記下側基板の底面側の位置に配置された底板部とを有し、前記端子のバネ板部は前記底板部に連接されて該底板部から立ち上がりの形態をもって形成され、前記穴部または切り欠き部の下端側から上側に向けて伸設されてその伸設頂上位置で前記上側基板の導電部と接触している構成をもって課題を解決する手段としている。
【００１０】
また、本発明のカード装置は、カード挿入部に挿入されるカード本体と、該カード本体の挿入後端側に収容されたスライドアンテナ基板とを有し、該スライドアンテナ基板は前記カード本体のカード挿入方向にスライド自在に設けられて前記カード本体への収容状態と前記カード本体からの引き出し状態との間でスライド移動自在と成しており、前記スライドアンテナ基板には一つ以上の平面型アンテナが設けられており、前記カード本体側に設けられている基板と前記スライドアンテナ基板とが間隔を介して上下に配置されて、前記スライドアンテナ基板と前記カード本体の基板のいずれか一方が上側基板と成して他方が下側基板と成しており、本発明の端子配置構造を有して、前記スライドアンテナ基板と前記カード本体の基板とが電気的に接続されている構成をもって課題を解決する手段としている。
【発明の効果】
【００１１】
本発明の端子配置構造は、互いに間隔を介して上下に配置された基板のうち、上側基板の裏面側には導電部が形成され、下側基板には前記上側基板の導電部に導通接続される端子の取り付け用の貫通の穴部または切り欠き部が形成されている。そして、この穴部または切り欠き部に端子を取り付けるため、下側基板の表面側に端子を取り付ける場合に比べて、端子の取り付け高さを低くできる。
【００１２】
つまり、本発明において、前記端子はバネ板部と該バネ板部を支持して下側基板に固定される支持部とを備え、該支持部は前記穴部または切り欠き部の下端側において前記下側基板の底面側の位置に配置された底板部とを有し、前記端子のバネ板部が底板部から立ち上がりの形態をもって形成されて、前記穴部または切り欠き部の下端側から上側に向けて伸設され、その伸設頂上位置で前記上側基板の導電部と接触する構成であり、バネ板部が下側基板の厚みを利用して下側基板の底面側から上側基板側に伸設されて電気的に接続されるので、上下の基板を少ない間隔をもって接続でき、製品の低背化を図ることができる。
【００１３】
また、本発明は、ＦＰＣを用いた接続と異なり、バネ板部とその支持部とを有する端子を介して上下の基板を電気的に接続するので、部品数や製造工程数の増加を招くこともなく、端子を下側基板の穴部または切り欠き部に固定して、非常に容易に製造でき、上側基板と下側基板との電気的な接続も非常に容易に行うことができる。
【００１４】
さらに、例えば本発明のカード装置のように、下側基板に対して上側基板がスライド移動する形態の上下の基板を電気的に接続する場合には、上側基板に形成する導電部を、そのスライド移動方向に適宜の長さを有する形態に形成することによって、スライド移動範囲の全範囲または一部の適宜の範囲において、下側基板と上側基板とを電気的に接続することができる。
【００１５】
また、本発明の端子配置構造において、端子の支持部の底板部にはバネ板部を挟む両側にそれぞれ伸設板部を形成されている構成によれば、伸設板部の伸設先端側を下側基板の表面に沿って配置して固定する構成を有しており、バネ板部が上側基板と接触して上側基板から端子が受ける下向きの力が、端子を下側基板に押圧する力となって、端子の下側基板への固定力が大きくなる方向に働くことになる。そのため、端子と上側基板との接続によって、端子を下側基板に押圧する方向に働き、端子の下側基板への固定をより良好に行うことができる。
【００１６】
また、この構成によれば、下側基板の表面側から端子を穴部または切り欠き部に配置することができるので、端子の下側基板への自動配置（自動実装）が可能となり、より低コストで製品を製造することができる。
【００１７】
さらに、本発明の端子配置構造において、端子の支持部の底板部は下側基板の穴部または切り欠き部よりも幅方向と長さ方向の少なくとも一方に張り出し形成されて前記下側基板の裏面側に沿って配設されており、この下側基板の裏面側に配設された部位が前記下側基板の裏面側に固定されているものにおいては、端子の構成を簡単な構成にすることができる。
【００１８】
さらに、本発明の端子配置構造において、端子の支持部が下側基板の裏面側に配設された部位を固定する構成を有し、かつ、端子のバネ板部が下側基板の穴部または切り欠き部内において支持部の底板部の一端側に形成され、該底板部の一端側または他端側には伸設板部が設けられているものは、端子を下側基板の裏面側と表面側の両方で固定できる。そのため、バネ板部が上側基板と接触して上側基板から端子が受ける下向きの力が、端子を下側基板に押圧する力となって、端子の下側基板の裏面側からの固定力に対して反発する方向に働いても、伸設部の伸設先端側が下側基板の表面側に固定されることにより、端子の下側基板への固定を良好に行うことができる。
【００１９】
さらに、本発明の端子配置構造において、底板部は下側基板の穴部または切り欠き部の下側開口をふさぐ態様で設けられているものにおいては、下側基板の穴部または切り欠き部に端子をより簡単に、かつ、的確に取り付けることができる。なお、本願において、穴部または切り欠き部の下側開口をふさぐ態様とは、穴部または切り欠き部の下側開口の全面をふさぐ態様とは限らず、部分的にふさぐように形成する態様も含むものである。
【００２０】
さらに、本発明のカード型装置によれば、前記のような本発明の端子配置構造を有することにより、カード本体の基板に設けられる端子をスライドアンテナ基板に設けられている平面型アンテナの導電部に、容易に、かつ、適切に接続することができ、また、カード型装置の製造も容易にすることができ、低背化、低コスト化を図ることもできる。
【発明を実施するための最良の形態】
【００２１】
以下に、本発明に係る実施形態例を図面に基づいて説明する。
【００２２】
図１には、本発明に係る端子配置構造の第１実施形態例が模式的に示されており、図１（ａ）には、この端子配置構造を適用する端子１１の平面図が、この端子１１を取りつける下側基板１３と共に示されている。本実施形態例の端子配置構造は、端子１１によって、下側基板１３と、図１（ｂ）、図１（ｃ）にそれぞれ示す上側基板１４とを電気的に接続するものであり、図１（ｂ）は、第１実施形態例の端子配置構造を図１（ａ）のＡ−Ａ断面で切断した図を示し、図１（ｃ）は、第１実施形態例の端子配置構造を矢印Ｂ方向から見た矢視図を示す。
【００２３】
これらの図に示されるように、２枚の基板１４，１３が、例えば０．１ミリメートルといった微少間隔を介して上下に配置されており、上側基板１４の裏面側には導電部１６が形成され、下側基板１３には、端子１１の取り付け用の貫通の穴部１７または切り欠き部２７が形成されている。端子１１は、リン青銅等の金属により形成されて、上側基板１４の導電部１６に導通接続されるものであり、端子１１は、バネ板部１８と、該バネ板部を支持する支持部１９とを備えている。
【００２４】
支持部１９は、下側基板１３に固定される固定部３６と、前記穴部１７または切り欠き部２７の下端側において前記下側基板１３の底面側の位置に配置された底板部３７とを有している。該底板部３７は、下側基板１３の穴部１７または切り欠き部２７の下側開口を（大部分）ふさぐ態様で設けられている。
【００２５】
また、底板部３７には、前記バネ板部１８を挟む両側に、それぞれ、伸設板部３８が設けられている。この伸設板部３８は、前記底板部３７に連接して、その連接部３７から折れ曲がって上側に立ち上がり、前記下側基板１３の穴部１７または切り欠き部２７の内壁に沿って伸設されている。また、それぞれの伸設板部３８は、前記穴部１７または切り欠き部２７の上端部において伸設方向を変えて、穴部１７または切り欠き部２７から離れる方向に向けて前記下側基板１３の表面側に沿って配設され、該下側基板１３の表面側に、例えば半田等を用いて固定されている（前記固定部３６と成している）。
【００２６】
前記端子１１のバネ板部１８は、下側基板１３の穴部１７または切り欠き部２７内において、支持部１９の底板部３７の一端側に連接されて、該底板部３７から立ち上がりの形態をもって形成され、前記穴部１７または切り欠き部２７の下端側から上側に向けて伸設されてその伸設頂上位置で前記上側基板１４の導電部１６と接触し、導通接続されている。なお、図１（ｂ）において、破線で示すバネ板部１８は、上側基板１４により押さえつけられない状態におけるバネ板部１８の状態を示す。
【００２７】
次に、本発明に係る端子配置構造の第２実施形態例について説明する。なお、第２実施形態例の説明において、前記第１実施形態例と同一名称部分には、同一符号を付し、その重複説明は省略または簡略化する。
【００２８】
図２には、本発明に係る端子配置構造の第２実施形態例が模式的に示されており、図２（ｂ）には、端子１１の平面図が、この端子１１を取りつける下側基板１３と共に示されている。また、図２（ａ）には、第２実施形態例の端子配置構造を、図２（ｂ）のＡ−Ａ断面で切断した図が示されている。なお、図２（ａ）において、破線で示すバネ板部１８は、上側基板１４により押さえつけられない状態におけるバネ板部１８の状態を示しており、図２（ａ）において、上側基板１４に設けられている導電部１６の図示は省略している。
【００２９】
第２実施形態例も前記第１実施形態例と同様に、上側基板１４と下側基板１３とを端子１１を介して電気的に接続するものであり、端子１１は、バネ板部１８と支持部１９とを有しているが、第２実施形態例では、支持部１９の構成を、以下に述べるように、第１実施形態例と異なる構成としている。つまり、第２実施形態例において、支持部１９の底板部３７は、下側基板１３の穴部１７または切り欠き部２７よりも幅方向に張り出し形成されて、下側基板１３の裏面側に沿って配設されており、この下側基板１３の裏面側に配設された部位が前記固定部３６と成して、下側基板１３の裏面側に半田等によって固定されている。
【００３０】
なお、第２実施形態例の変形例として、前記底板部３７を、下側基板１３の穴部１７又は切り欠き部２７よりも長さ方向または長さ方向と幅方向の両方に張り出して形成し、その張り出し部位を固定部３６としたものをあげることができる。
【００３１】
次に、本発明に係る端子配置構造の第３実施形態例について説明する。なお、第３実施形態例の説明において、前記第１、第２実施形態例と同一名称部分には、同一符号を付し、その重複説明は省略または簡略化する。
【００３２】
図３には、本発明に係る端子配置構造の第３実施形態例が模式的に示されており、図３（ｂ）には、端子１１の平面図が、この端子１１を取りつける下側基板１３と共に示されている。また、第３実施形態例の端子配置構造を、図３（ａ）には、第３実施形態例の端子配置構造を、図３（ｂ）のＡ−Ａ断面で切断した図が示されている。なお、図３（ｂ）において、破線で示すバネ板部１８の態様は、上側基板１４により押さえつけられない状態におけるバネ板部１８の状態を示している。また、図３（ａ）において、上側基板１４に設けられている導電部１６の図示は省略している。
【００３３】
第３実施形態例は、前記第２実施形態例の構成に加え、端子１１の底板部３７において、バネ板部１８が形成されている一端側に対して、その一端側または他端側に、底板部３７に連接してその連接部から折れ曲がって上側に立ち上がり、下側基板１３の穴部１７または切り欠き部２７の内壁に沿って伸設された伸設板部３８が設けられている。この伸設板部３８は、バネ板部１８を挟む両側に形成されて、穴部１７または切り欠き部２７の上端部において伸設方向を変え、前記バネ板部１８の伸長方向と同方向で前記穴部１７または切り欠き部２７から離れる方向に向けて、下側基板１３の表面側に沿って配設されて該下側基板１３の表面側に固定されている。
【００３４】
なお、第３実施形態例は、端子１１を下側基板１３に配設する際、下側基板１３の裏面側と表面側とで固定する構成であり、端子１１を下側基板１３の裏面側から前記穴部１７または切り欠き部２７に挿入し、伸設板部３８の伸設先端側（下側基板１３の表面側に沿って設けられる部位）を、下側基板１３の表面側に引っかけるような態様で、端子１１を配置する。そして、下側基板１３の裏面側において、半田等により固定する。なお、伸設板部３８の伸設先端側は、半田等により固定してもよいし、半田等を用いる固定はしなくてもよい（端子１１が下側基板１３の裏面側で固定されることにより、伸設板部３８の伸設先端側も実質的に固定される）。
【００３５】
次に、本発明の第４実施形態例について説明する。第４実施形態例は、本発明に係る端子配置構造を用いたカード型装置であり、第４実施形態例の説明において、前記第１〜第３実施形態例と同一名称部分には、同一符号を付し、その重複説明は省略または簡略化する。
【００３６】
図４には、第４実施形態例のカード型装置１が、パソコン（例えばノート型パソコン）４１のカードスロット１０に挿入装着状態で模式的な断面図により示されており、図５には、このカード型装置１の外観図が示されている。これらの図に示されるように、第４実施形態例のカード装置１は、カードスロット１０に挿入されるカード本体５と、該カード本体５の挿入後端側に収納されたスライドアンテナ基板２とを有している。該スライドアンテナ基板２は、前記カード本体５のカード挿入方向にスライド自在に設けられており、カード本体５への収納状態とカード本体５からの引き出し状態との間でスライド移動自在と成している。
【００３７】
なお、図４（ａ）は、スライドアンテナ基板２の収容状態を示し、図４（ｂ）は、スライドアンテナ基板２の引き出し状態を示している。また、図５においては、（ａ）、（ｂ）、（ｃ）がスライドアンテナ基板２の収容状態を示し、（ｄ）、（ｅ）がスライドアンテナ基板２の引き出し状態を示しており、図５の（ｂ）、（ｅ）はカード型装置１の平面図、（ａ）、（ｄ）はカード型装置１の側面図、（ｃ）はカード型装置１を、スライドアンテナ基板２の配設側から見た図をそれぞれ示す。
【００３８】
図４（ａ）、（ｂ）に示すように、前記スライドアンテナ基板２には、一つ以上（ここでは２つ）の無線通信用の平面型アンテナ７（７ａ，７ｂ）が設けられており、この例においては、平面型アンテナ７は、スライドアンテナ基板２の引き出し先端側に設けられている。また、前記カード本体５には、無線通信用のロッドアンテナ３の基端側が固定されていて、その基端側からのロッドアンテナ３の伸長側は、前記スライドアンテナ基板２に設けられている貫通孔のスライドガイド４を通して、前記スライドアンテナ基板２のスライド方向にスライド伸縮自在に配置されている。
【００３９】
なお、図６に示すように、ロッドアンテナ３は、多段（ここでは、３段）のロッド部を有して自由に伸縮できるように構成されていることにより、前記の如く、前記スライドアンテナ基板２のスライド方向にスライド伸縮自在と成している。このロッドアンテナ３は、そのアンテナ頭部８を（例えば指で摘んで）先方側に引き出すと伸張し、先端側がスライドアンテナ基板２の先端面よりも先方側に突出する。また、その反対に、ロッドアンテナ３のアンテナ頭部８をスライドアンテナ基板２側に押すと、ロッドアンテナ３は縮んで元の位置に戻る。なお、図６において、符号１３は、カード本体５に設けられた下側基板を示しており、この下側基板１３は、スライドアンテナ基板２と微少間隔を介して配置され、ロッドアンテナ３や前記平面型アンテナ７と電気的に接続されている。
【００４０】
また、前記ロッドアンテナ３は、収納状態時におけるそのアンテナ先端面（アンテナ頭部８の端部）が、前記スライドアンテナ基板２の先端面よりも先方側に突出しない後退位置に設けられており、スライドアンテナ基板２の引き出し先端側に設けられた突起部１２を把持してスライドアンテナ基板２を前記カード本体５から引き出すと、ロッドアンテナ３の先端側がスライドアンテナ基板２と共に前記カードスロット１０から引き出される。
【００４１】
第４実施形態例のカード型装置１において、カード本体５側に設けられている基板と前記スライドアンテナ基板２とが微少間隔を介して上下に配置されている。そして、第４実施形態例は、前記第１実施形態例から第３実施形態例のいずれかの端子配置構造を有して、カード本体５の基板（下側基板１３）に設けられる端子１１が、前記スライドアンテナ基板２（上側基板１４）に設けられている平面型アンテナ７の導電部１６と接続されることを特徴としている。
【００４２】
第４実施形態例のカード型装置のように、間隔を介して上下に配置された上側基板１４と下側基板１３のうち、少なくとも一方が他方に対して相対的にスライド移動する構成においては、上下の基板をコネクタ等によって固定的に接続することができないが、前記第１〜第３の各実施形態例の端子配置構造の適用によって、上下の基板の電気的接続を適切に行うことができる。また、上下の基板の間隔を小さく形成することができるので、カード型装置１の薄肉化（低背化）を可能とすることができる。
【００４３】
なお、本発明は、前記実施形態例に限定されることはなく、様々な実施の態様を採り得る。例えば、前記第４実施形態例のカード型装置１において、カード本体５の基板とスライドアンテナ基板２との接続構造以外の様々な構成は、特に限定されるものでなく、適宜設定されるものである。また、第４実施形態例では、カード本体５の基板が下側基板１３と成し、スライドアンテナ基板２が上側基板１４と成していたが、その逆の接続構成でもよい。その場合は、スライドアンテナ基板２側に、端子１１が配置される。
【００４４】
さらに、本発明の端子配置構造は、必ずしも第４実施形態例のようなカード型装置１に適用するとは限らず、間隔（微少間隔）を介して配置された上下の基板を電気的に接続する構成として、様々に適用されるものである。
【００４５】
さらに、前記第１〜第３の各実施形態例の端子配置構造において、端子１１の支持部１９を形成する底板部３７は、いずれも下側基板１３の穴部１７または切り欠き部２７をふさぐ態様で設けられていたが、底板部３７は、穴部１７または切り欠き部２７をふさぐ態様で設けるとは限らず、例えば、底板部３７を下側基板１３の裏面側に沿って設けて、その一端側を穴部１７または切り欠き部２７の一端側に配置し、この配置部位に連接させてバネ板部１８を上側に立ち上げるように形成してもよい。この場合、底板部３７を下側基板１３の裏面側に固定して固定部３６を兼ねるようにしてもよい。
【図面の簡単な説明】
【００４６】
【図１】本発明に係る端子配置構造の第１実施形態例を説明するための図である。
【図２】本発明に係る端子配置構造の第２実施形態例を説明するための図である。
【図３】本発明に係る端子配置構造の第３実施形態例を説明するための図である。
【図４】本発明に係るカード型装置の実施形態例を説明するための図である。
【図５】図４に示すカード型装置の外観を説明するための図である。
【図６】図４に示すカード型装置におけるロッドアンテナの伸縮構成を説明するための説明図である。
【図７】ＰＣカードのパソコンへの挿入動作を示す説明図である。
【図８】カード型装置の一従来例を説明するための図である。
【図９】図８に示すカード型装置における基板の接続構造を説明するための図である。
【図１０】バネ状の端子によって上下の基板を接続する構成例を説明するための図である。
【符号の説明】
【００４７】
１  カード型装置
２  スライドアンテナ基板
５  カード本体
７  平面型アンテナ
１１  端子
１３  下側基板
１４  上側基板
１６  導電部
１７  穴部
１８  バネ板部
１９  支持部
２７  切り欠き部
３６  固定部
３７  底板部
３８  伸設板部
【図１】
2010097717.tif 000003
【図２】
2010097717.tif 000004
【図３】
2010097717.tif 000005
【図４】
2010097717.tif 000006
【図５】
2010097717.tif 000007
【図６】
2010097717.tif 000008
【図７】
2010097717.tif 000009
【図８】
2010097717.tif 000010
【図９】
2010097717.tif 000011
【図１０】
2010097717.tif 000012
【手続補正書】
【提出日】平成20年10月24日(2008.10.24)
【手続補正１】
【補正対象書類名】図面
【補正対象項目名】全図
【補正方法】変更
【補正の内容】
【図１】
2010097717.tif 000013
【図２】
2010097717.tif 000014
【図３】
2010097717.tif 000015
【図４】
2010097717.tif 000016
【図５】
2010097717.tif 000017
【図６】
2010097717.tif 000018
【図７】
2010097717.tif 000019
【図８】
2010097717.tif 000020
【図９】
2010097717.tif 000021
【図１０】
2010097717.tif 000022